(57)【要約】【課題】  燃料フィルタを囲繞するプロテクタを設けなくとも車両衝突時に燃料フィルタの保護を図ることのできる燃料フィルタの取り付け構造を提供する。【解決手段】  本発明の燃料フィルタの取り付け構造は、エンジン２の燃料配管５に介装されてエンジンルーム１内に設けられる燃料フィルタ４を保持する保持部１０を有する支持ブラケット８に上部取り付け部１２、１２と下部取り付け部１４とが形成され、上部取り付け部１２、１２がエアボックス３に取り付けられ、下部取り付け部１４がダッシュパネルロア１３に取り付けられている。【選択図】  図２
2006132362.tif 000002
【特許請求の範囲】
【請求項１】
エンジンの燃料配管に介装されてエンジンルーム内に設けられる燃料フィルタを支持する支持ブラケットを有し、該支持ブラケットは前記燃料フィルタを保持する保持部と、該保持部の上部に形成された上部取り付け部と、前記保持部の下部に形成された下部取り付け部とを備えていて、前記上部取り付け部をエアボックスに取り付け、前記下部取り付け部をダッシュパネルロアに取り付けたことを特徴とする燃料フィルタの取り付け構造。
【請求項２】
前記支持ブラケットには前記上部取り付け部が車幅方向に間隔を開けて一対設けられ、前記保持部が前記一対の上部取り付け部の間に設けられると共に、前記燃料フィルタの頭部を保持することを特徴とする請求項１に記載の燃料フィルタの取り付け構造。
【請求項３】
前記下部取り付け部が燃料フィルタに対して車幅方向側方に延設されていることを特徴とする請求項１又は請求項２に記載の燃料フィルタの取り付け構造。
【請求項４】
前記燃料フィルタが前記エンジンの側方側でかつ前記エンジンルーム内の上部に配設されていることを特徴とする請求項１ないし請求項３のいずれか１項に記載の燃料フィルタの取り付け構造。
【発明の詳細な説明】
【技術分野】
【０００１】
本発明は、燃料フィルタの取り付け構造に関する。
【背景技術】
【０００２】
従来から、燃料フィルタの取り付け構造には、エンジンの燃料配管系統に介装されてエンジンルーム内に設けられた燃料フィルタ（フューエルフィルタ）が車両衝突時に破損するのを防止するようにしたものが知られている（例えば、特許文献１参照。）。
【０００３】
このものでは、燃料フィルタにこれを囲繞するプロテクタを設け、プロテクタに傾斜面を形成する一方、バッテリの後壁側の突出部に固定して配設する構成とし、前面衝突によりバッテリと共にプロテクタと燃料フィルタとが後方へ変位したときに傾斜面を利用してプロテクタの後方に存在するエンジンルーム内の設置物に対する衝撃の緩和を図る構成となっている。
【０００４】
また、プロテクタにバッテリに向かって突出するくさび形状の突起を設け、前面衝突の際にその突起とバッテリとを故意に干渉させて、バッテリの後壁側を破損させ、燃料フィルタに加わる衝撃を緩和させるようになっている。
【特許文献１】特開平６−２８０７１０号公報
【発明の開示】
【発明が解決しようとする課題】
【０００５】
しかしながら、この従来の燃料フィルタの取り付け構造では、燃料フィルタを囲繞する複雑形状のプロテクタの設置が必須の構成であり、この複雑形状のプロテクタを設ける分だけ材料や部品点数が増加し、コストアップを避け難いという不都合がある。
【０００６】
本発明の目的は、燃料フィルタを囲繞するプロテクタを設けなくとも車両衝突時に燃料フィルタの保護を図ることのできる燃料フィルタの取り付け構造を提供することにある。
【課題を解決するための手段】
【０００７】
本発明は、エンジンの燃料配管に介装されてエンジンルーム内に設けられる燃料フィルタを支持する支持ブラケットを有し、該支持ブラケットは前記燃料フィルタを保持する保持部と、該保持部の上部に形成された上部取り付け部と、前記保持部の下部に形成された下部取り付け部とを備えていて、前記上部取り付け部をエアボックスに取り付け、前記下部取り付け部をダッシュパネルロアに取り付けたことを特徴とする。
【発明の効果】
【０００８】
本発明によれば、前面衝突時にエンジンと干渉して変形するダッシュパネルロアと前面衝突時にエンジンの干渉を受けにくいエアボックスとにまたがって支持ブラケットを介して燃料フィルタを取り付けることにしたので、燃料フィルタの上部でかつ燃料配管が接続される頭部の位置を大きく変化させることなく、エンジンの近くに存在する燃料フィルタの下部をエンジンの後方変位に伴って後方へ変位させることができることになり、燃料フィルタを囲繞するプロテクタを設けなくとも燃料フィルタとエンジンとの干渉を回避することができるという効果を奏する。
【発明を実施するための最良の形態】
【０００９】
以下に、本発明に係わる燃料フィルタの取り付け構造の発明の実施の形態を図面を参照しつつ説明する。なお、図面中の符号ＦＲは車両前方側を示している。
【実施例】
【００１０】
図１は本発明に係わる燃料フィルタのエンジンルームへの配設箇所を示す説明図であって、この図１において、１はエンジンルーム、２はエンジン、３はエアボックス、４は燃料フィルタである。
【００１１】
この燃料フィルタ４はエンジン２の後方かつ側方側でしかもエンジンルーム１内の上部に配置され、前面衝突時に車両後方に向かって変位するエンジン２の干渉を受けにくい位置に配置されている。
【００１２】
また、燃料フィルタ４は、図２、図３に拡大して示すようにその頭部４ａに燃料配管系統５に接続される接続口６、７を有する。そして、燃料フィルタ４は支持ブラケット８を介してエンジンルーム１内に固定される。
【００１３】
この支持ブラケット８は図３に示すように本体部９を有し、該本体部９は車両前方から車両後方に向かって傾斜すると共に、車幅方向右側に延設されて傾斜する構造とされている。
【００１４】
この本体部９の上部には、図２に示すように、燃料フィルタ４を保持する保持部１０と、エンジンルーム１の後壁の一部を構成するエアボックス３の一壁３Ａに取り付けられる一対の上部取り付け部１２、１２とが設けられている。
【００１５】
一方、本体部９の下部にはエンジンルーム１の後壁の一部を構成するダッシュパネルロア１３に取り付けられる下部取り付け部１４が設けられている。
【００１６】
保持部１０は前方側に向かって屈曲されてボルト１５、１５を介して燃料フィルタ４の頭部４ａに締結される。上部取り付け部１２、１２は車幅方向に間隔を開けて一対設けられていて、車両後方に向かって延在されてボルト１６、１６を介してエアボックス３の一壁３Ａに締結固定される。
【００１７】
下部取り付け部１４は、図４に示すように、本体部９からダッシュパネルロア１３に向かって延在され、かつ、燃料フィルタ４に対して車幅方向側方に設けられてボルト１７を介してダッシュパネルロア１３に締結固定されている。
【００１８】
この発明の実施の形態によれば、通常状態では、車両衝突前には図５（ａ）、図６（ａ）に示すように、燃料フィルタ４は支持ブラケット８により安定した状態でエンジンルーム１内に保持される。
【００１９】
一方、前面衝突時には図５（ｂ）、図６（ｂ）に示すように、ダッシュパネルロア１３の後方への変形に伴って、支持ブラケット８の上部側を変位起点として支持ブラケット８の下部側は後方へ回動変位させられる。
【００２０】
このように、本発明の実施の形態によれば、前面衝突時にエンジン１と干渉して変形するダッシュパネルロア１３と前面衝突時にエンジン１の干渉を受けにくいエアボックス３とにまたがって支持ブラケット８を介して燃料フィルタ４を取り付けることにしたので、燃料フィルタ４の上部でかつ燃料配管５が接続される頭部４ａの位置を大きく変化させることなく、エンジン１の近くに存在する燃料フィルタ４の下部をエンジン１の後方変位に伴って後方へ変位させることができることになり、燃料フィルタ４を囲繞するプロテクタを設けなくとも燃料フィルタ４とエンジン１との干渉を回避することができるという効果を奏する。
【００２１】
また、燃料配管５が接続される燃料フィルタ４の頭部４ａの衝突変位を極力避けることができるので、前面衝突時に燃料配管５にストレスが加わるのを極力防止できる。また、支持ブラケット８に上部取り付け部１２、１２を車幅方向に間隔を開けて一対設け、保持部１０に燃料フィルタ４の頭部４ａを保持させることにしたので、前面衝突時に支持ブラケット８の上部側を変位起点として支持ブラケット８の下部側を後方へ安定して回動変位させることができることになり、衝突時に燃料フィルタ４の後方への変位の安定化を図ることができる。
【００２２】
更に、下部取り付け部１４が燃料フィルタ４に対して車幅方向側方に延設されているので、前面衝突時に下部取り付け部１４と燃料フィルタ４との干渉を避けることができると共に、燃料フィルタ４のダッシュパネルロア１３の後方への変位空間が下部取り付け部１４を車幅方向側方に延設した分だけ広がるので、万が一にも前面衝突の際にエンジンルーム１内の設置物体が燃料フィルタ４に干渉したときでも、燃料フィルタ４を後方へ変位させることができ、エンジンルーム１内の設置物体が燃料フィルタ４に干渉した際の燃料フィルタ４が受ける衝突衝撃を緩和できる。
【００２３】
更にまた、燃料フィルタ４がエンジン２の側方側でかつエンジンルーム１内の上部に配設されているので、衝突時にダッシュパネルロア１３に向かって変位するエンジン２の干渉を受けにくくなり、燃料フィルタ４を囲繞するプロテクタを設けることなく燃料フィルタ４とエンジン３との干渉回避を一層確実に図ることができるという効果を奏する。
【図面の簡単な説明】
【００２４】
【図１】本発明に係わる燃料フィルタの配設箇所を説明するためのエンジンルームの概要図である。
【図２】本発明に係わる燃料フィルタの取り付け構造の要部構成を示す斜視図である。
【図３】本発明に係わる支持ブラケットと燃料フィルタとの取り付け関係を示す平面図である。
【図４】本発明に係わる燃料フィルタの支持ブラケットによるエンジンルームへの取り付け状態を説明するための概要図であって、その燃料フィルタを正面から目視した図である。
【図５】本発明に係わる燃料フィルタの取り付け構造の作用を説明するための側面図であって、（ａ）は前面衝突直前の燃料フィルタの支持状態を示し、（ｂ）は前面衝突直後の燃料フィルタの支持状態を示す。
【図６】本発明に係わる燃料フィルタの取り付け構造の作用を説明するための斜視図であって、（ａ）は前面衝突直前の燃料フィルタの支持状態を示し、（ｂ）は前面衝突直後の燃料フィルタの支持状態を示す。
【符号の説明】
【００２５】
１…エンジンルーム
２…エンジン
３…エアボックス
４…燃料フィルタ
８…支持ブラケット
１０…保持部
１２…上部取り付け部
１３…ダッシュパネルロア
１４…下部取り付け部
【図１】
2006132362.tif 000003
【図２】
2006132362.tif 000004
【図３】
2006132362.tif 000005
【図４】
2006132362.tif 000006
【図５】
2006132362.tif 000007
【図６】
2006132362.tif 000008